(57)【要約】【課題】簡易な構造で容易に製造することができ、加飾性又は機能性を付加することができるブロー成形容器を提供すること。【解決手段】ブロー成形によって形成される容器本体２を備えるブロー成形容器１であって、加飾性又は機能性を付加するためのインサート部材３を、ブロー成形時に容器本体２に埋設、一体化する。【選択図】図１
2015171901.tif 000002
【特許請求の範囲】
【請求項１】
ブロー成形によって形成される容器本体を備えるブロー成形容器であって、加飾性又は機能性を付加するためのインサート部材を、ブロー成形時に容器本体に埋設、一体化するようにしてなることを特徴とするブロー成形容器。
【請求項２】
インサート部材における容器本体への接触面側に、ブロー成形時に容器本体の一部が入り込む凹部を形成したことを特徴とする請求項１記載のブロー成形容器。
【請求項３】
インサート部材の周縁の容器本体に埋め込まれる側を、斜面又は曲面にすることにより周縁の厚みが漸次薄くなる薄肉部を形成したことを特徴とする請求項１又は２記載のブロー成形容器。
【発明の詳細な説明】
【技術分野】
【０００１】
本発明は、ブロー成形によって形成されるブロー成形容器に関し、特に、加飾性又は機能性を付加するようにしたブロー成形容器に関するものである。
【背景技術】
【０００２】
例えば、シャンプー等を収容するボトル型容器において、立体的な凹凸模様、質感、風合い等の加飾性や、マッサージ機能、滑り止め機能、断熱機能等の機能性を付加することが望まれている。
【０００３】
従来、部分的に非接着部分を基材に形成することによって凹凸模様を現出させたインモールドラベルを容器本体の表面に積層することにより、容器表面に凹凸模様を付けるようにした容器が提案されている（特許文献１参照）。
また、容器本体の壁面に所要のポケットを設け、該ポケット内に球状のマッサージ器具を組み込むことにより、マッサージ機能を付加した容器が提案されている（特許文献２参照）。
【先行技術文献】
【特許文献】
【０００４】
【特許文献１】特開２０１２−１８３４６号公報
【特許文献２】特表２００４−５０９８１２号公報
【０００５】
しかしながら、上記特許文献１に係る容器では、インモールドラベルにおいて凹凸模様を現出させるために、その凹凸模様の形成パターンに従って接着部分と非接着部分とを基材に形成しなければならず、基材の構造が複雑になるという問題点がある。
また、この特許文献１の容器では、その製造に際して、凹凸模様の形成パターンに合わせて基材の所定部分に接着剤が実質的に付着しないように接着防止剤を塗工する工程と、凹凸模様の形成パターンに従って接着部分と非接着部分とが形成されるように正確に接着する工程とが必要となり、高度で複雑な製造技術が要求され、容易に製造することができないという問題点がある。
【０００６】
一方、上記特許文献２に係る容器では、容器本体を形成するための樹脂成形工程以外に、容器本体のポケットにマッサージ器具を組み込む組立工程が別途必要になるため、製造に手間がかかるという問題点がある。
【発明の概要】
【発明が解決しようとする課題】
【０００７】
本発明は、上記従来技術の有する問題点に鑑み、簡易な構造で容易に製造することができ、加飾性又は機能性を付加することができるブロー成形容器を提供することを目的とする。
【課題を解決するための手段】
【０００８】
上記目的を達成するため、本発明のブロー成形容器は、ブロー成形によって形成される容器本体を備えるブロー成形容器であって、加飾性又は機能性を付加するためのインサート部材を、ブロー成形時に容器本体に埋設、一体化するようにしてなることを特徴とする。
【０００９】
この場合において、インサート部材における容器本体への接触面側に、ブロー成形時に容器本体の一部が入り込む凹部を形成することができる。
【００１０】
また、インサート部材の周縁の容器本体に埋め込まれる側を、斜面又は曲面にすることにより周縁の厚みが漸次薄くなる薄肉部を形成することができる。
【発明の効果】
【００１１】
本発明のブロー成形容器によれば、加飾性又は機能性を付加するためのインサート部材が容器本体のブロー成形時にその容器本体に埋設、一体化するようにしてなることにより、加飾性又は機能性を付加したブロー成形容器を簡易な構造で容易に製造することができる。
【００１２】
また、インサート部材における容器本体への接触面側に、ブロー成形時に容器本体の一部が入り込む凹部を形成することにより、該凹部に容器本体の一部が入り込んだ状態でインサート部材と容器本体とが一体化されるので、インサート部材と容器本体との接合強度を増すことができる。
【００１３】
また、インサート部材の周縁の容器本体に埋め込まれる側を、斜面又は曲面にすることにより周縁の厚みが漸次薄くなる薄肉部を形成することにより、インサート部材と容器本体との境界部分において、両者間に隙間が生じたり、容器本体の肉厚が極端に薄くなった極肉薄部が生じたりするのを確実に防ぐことができ、かかる境界部分の隙間や極肉薄部に起因するインサート部材の剥離や容器割れを未然に防ぐことができる。
【図面の簡単な説明】
【００１４】
【図１】本発明の一実施形態に係るブロー成形容器の全体斜視図である。
【図２】同ブロー成形容器の成形法を示す要部の横断面図で、（ａ）は樹脂成形部品を金型に位置決めした状態図、（ｂ）は管状溶融樹脂を金型内に導入した状態図、（ｃ）は管状溶融樹脂を膨らませた状態図である。
【図３】図２（ｃ）のＡ部拡大図である。
【図４】樹脂成形部品のベース部の周縁に薄肉部を設けない場合の状況を例示する図である。
【発明を実施するための形態】
【００１５】
次に、本発明のブロー成形容器の実施の形態を、図面に基づいて説明する。
【００１６】
＜ブロー成形容器の概略説明＞
図１に示されるブロー成形容器１は、例えば、シャンプー等を収容するのに用いられて好適な容器であって、胴部２ａ及び口部２ｂを有してなるボトル型の容器本体２と、インサート部材としての樹脂成形部品３とを備えている。
【００１７】
＜容器本体の説明＞
容器本体２は、例えば、ポリプロピレン等の樹脂材料で後述するブロー成形法により形成されている。
容器本体２の胴部２ａは、洗面台等に置く際の座りが良いように上方に反りを持たせた底面視楕円状の底壁部４上に、この底壁部４を取り囲むようにして断面略楕円形状の周壁部５が一体的に設けられて構成されている。
この胴部２ａにおいては、下部から中間部に至る部分が上方に進むに従って次第に膨らみ、中間部を過ぎて上部に至る部分が上方に進むに従って急激に狭まり、中腹部をより膨らませ両肩部が撫肩状の樽形でやや扁平を持たせた形状とされて、容器本体２を手で持ち易いようにされている。
【００１８】
容器本体２の口部２ｂは、胴部２ａの上部から所定の口径で上方に延び、その外周部には、雄螺子６が形成されている。
そして、図示されない蓋体を口部２ｂに螺着することにより、中身のシャンプーが漏れ出さないように蓋をしたり、手押ポンプが付設されたキャップを口部２ｂに螺着することにより、適量のシャンプーを手押ポンプで容易に取り出すことができたり、ノズル等が付設されたキャップを口部２ｂに装着することにより、胴部２ａをその扁平側に押すことで所要量のシャンプーをノズルから噴出させたりすることができるようになっている。
【００１９】
＜樹脂成形部品の説明＞
樹脂成形部品３は、例えば、熱可塑性エラストマー等の樹脂材料でインジェクション成形等の公知の樹脂成形法により形成され、四隅に面取りが施された略四角形シート状のベース部７を備えている。
なお、樹脂成形部品３は、容器本体２を後述するブロー成形法で形成する前に予め作製され、ブロー成形容器１の製造に必要な個数が準備されている。
【００２０】
図３に示されるように、ベース部７において、容器本体２の周壁部５への接触面側には、縦横に所要の線状の凹部１０、つまり溝が適宜の間隔で設けられている。
上記接触面の反対側の面には、複数の円柱状の突起１１が縦横に所定ピッチで突設されている。
突起１１は、頭皮に対し適度な刺激を与えて毛根周辺の血行を促進するなど頭皮のマッサージの役目をする。
そして、ベース部７の周縁の容器本体２の周壁部５に埋め込まれる側を、曲面（又は斜面）にすることにより周縁の厚みが漸次薄くなる薄肉部１２を形成するようにしている。
【００２１】
次に、上記のブロー成形容器１のブロー成形法について図２及び図３を用いて以下に説明する。
なお、かかるブロー成形法においては、樹脂成形部品３における複数の突起１１が嵌り込む位置決め用凹部１５ａを内表面に有する金型１５が用いられる。
【００２２】
＜ブロー成形法の説明＞
まず、図２（ａ）に示されるように、金型１５に対して樹脂成形部品３を位置決めするために、位置決め用凹部１５ａに複数の突起１１を嵌め込み、その位置決め用凹部１５ａの外周縁にベース部７の薄肉部１２を押し当てた状態にして取り付ける。
次いで、同図（ｂ）に示されるように、成形完了後に容器本体２となるポリプロピレン製の管状溶融樹脂１６を金型１５内に導入する。
そして、導入された管状溶融樹脂１６内に空気を吹き込み、同図（ｃ）に示されるように、金型１５の内表面に密着して樹脂成形部品３と一体化するまで管状溶融樹脂１６を膨らませる。
これにより、図３に示されるように、樹脂成形部品３のベース部７における縦横に延びた線状の凹部１０内に管状溶融樹脂１６の一部が入り込み、ベース部７と管状溶融樹脂１６とが密着し、遂にはベース部７が管状溶融樹脂１６で取り囲まれるようにして内部に埋め込まれる。
なお、凹部１０内への管状溶融樹脂１６の入り込みをよりスムーズにするため、凹部１０の周縁に面取り１０ａを施すのが好ましい。
ここで、樹脂成形部品３と管状溶融樹脂１６との融点は比較的近いが、管状溶融樹脂１６の融点の方がやや高いため、管状溶融樹脂１６の熱で樹脂成形部品３が軟化した状態でその樹脂成形部品３に対し管状溶融樹脂１６が押し付けられることになり、樹脂成形部品３と管状溶融樹脂１６との密着性をより高めることができる。
【００２３】
＜作用効果の説明＞
本実施形態のブロー成形容器１によれば、加飾性又は機能性を付加するための樹脂成形部品３が容器本体２のブロー成形時にその容器本体２に埋設、一体化するようにしてなるので、接着剤等を必要とすることなく、容器本体２と樹脂成形部品３とを直接一体化することによって、加飾性又は機能性を付加したブロー成形容器を簡易な構造で容易に製造することができる。
【００２４】
また、樹脂成形部品３には、ブロー成形時に管状溶融樹脂１６の一部が入り込む凹部１０が形成されるので、管状溶融樹脂１６が冷え固まった際に、容器本体２における周壁部５の一部が該凹部１０に入り込んだ状態で容器本体２と樹脂成形部品３とが一体化されることになり、容器本体２と樹脂成形部品３との接合強度を増すことができる。
【００２５】
また、樹脂成形部品３におけるベース部７の周縁の容器本体２の周壁部５に埋め込まれる側を、曲面（又は斜面）にすることにより周縁の厚みが漸次薄くなる薄肉部１２を形成するようにしているので、容器本体２と樹脂成形部品３との境界部分において、図４に示されるように、両者間に隙間１７が生じたり、容器本体２の肉厚が極端に薄くなった極肉薄部１８が生じたりするのを確実に防ぐことができ、かかる境界部分の隙間１７や極肉薄部１８に起因する樹脂成形部品３の剥離や容器本体２の割れを未然に防ぐことができる。
【００２６】
以上、本発明のブロー成形容器について、一実施形態に基づいて説明したが、本発明は上記実施形態に記載した構成に限定されるものではなく、その趣旨を逸脱しない範囲において適宜その構成を変更することができるものである。
【００２７】
例えば、線状の凹部１０に代えて、円形状の凹部などのような局部的な窪みを適宜に設けるようにしてもよい。
円柱状の突起１１に代えて吸盤状の突起を採用することにより、滑り止め機能やワンタッチ吸着機能などを付加することができる。
円柱状の突起１１に代えて意匠性のある突起とすることにより、デザインポイントを浮かびあがらせるような立体的な凹凸模様を付けることができる。
樹脂成形部品３を、発泡性の樹脂材料で構成することにより、断熱機能を持たせることができる。
樹脂成形部品３として、容器本体２と色や質感等が異なる樹脂材料の採用により、色合いや触感に変化を付けることができる。
【００２８】
上記の実施形態においては、容器本体２としてボトル型のものを採用した例を示したが、容器本体２の形状はこれに限定されるものではなく、ブロー成形可能なものに広く適用することができ、これを排除しない。
【００２９】
また、上記の実施形態においては、インサート部材として樹脂成形部品３を採用した例を示したが、これに限定されるものではなく、インサート部材として、例えば、金属製の部材や、金属と樹脂とを組み合わせた複合部材を採用することも可能である。
【産業上の利用可能性】
【００３０】
本発明のブロー成形容器は、簡易な構造で容易に製造することができ、加飾性又は機能性を付加することができるという特性を有していることから、容器本来の機能に、例えば、マッサージ機能を付加したり、意匠性を高めたりする用途に好適に用いることができる。
【符号の説明】
【００３１】
１    ブロー成形容器
２    容器本体
３    樹脂成形部品（インサート部材）
１０  凹部
１２  薄肉部
【図１】
2015171901.tif 000003
【図２】
2015171901.tif 000004
【図３】
2015171901.tif 000005
【図４】
2015171901.tif 000006